(57)【要約】【課題】風が吹くと面白い動作をして通行人の注意を引く看板を提供する。【解決手段】水平方向に突出しブラケット１の下方に、薄板製の半円形状揺動体３を、左右２箇所で鎖２を介して揺動自在に吊り下げるとともに、この半円形状揺動体３の稍下部中央に薄板製の鋏形状揺動体５を回動自在に軸支する。この鋏形状揺動体５の上端部が、半円形状揺動体３の外周部に弧状に形成された案内溝１１に係合され、鋏形状揺動体５の回動範囲が制限される。このように構成されたことで、風が吹き、半円形状揺動体３および鋏形状揺動体５に外力を受けると、それらは独自に揺動および回動をするため面白い運動をする。【選択図】　図１
2004020811.tif 000002
【特許請求の範囲】
【請求項１】
水平方向に突出して支持されたブラケットと、
このブラケットの下方に吊り下げられた薄板状の第１の揺動体と、
この第１の揺動体を前記ブラケットに左右２箇所で揺動自在に吊り下げる１対の吊り下げ手段と、
前記第１の揺動体の稍下部中央に回動自在に軸支された薄板状の第２の揺動体と、
この第２の揺動体の上部先端の第１の揺動体側に突設された係合ピンと、
この係合ピンの揺動軌跡に沿って第１の揺動体に形成されて係合ピンが係合される案内溝と、
前記第２の揺動体の下部に設けられた錘と、
を備えたことを特徴とする看板。
【請求項２】
請求項１記載の看板において、
前記吊り下げ手段のブラケット側間隔よりも第１の揺動体側の間隔を広くして吊り下げ手段をハの字状に配設したことを特徴とする看板。
【請求項３】
請求項１または２記載の看板において、
前記第１の揺動体および第２の揺動体の双方または一方の側部を約９０度折曲して風受け部を形成したことを特徴とする看板。
【請求項４】
請求項１または２または３記載の看板において、
前記第１の揺動体を略半円形状とし第２の揺動体を略直線形状としてそれぞれを店を象徴する物品の形状としたことを特徴とする看板。
【発明の詳細な説明】
【０００１】
【発明の属する技術分野】
本発明は、風に吹かれると面白い運動をする看板に関する。
【０００２】
【従来の技術】
従来、風力を利用して動作させるようにした看板がある。例えば、実開昭５５−１３８６７４　号公報に記載の風力回転看板は、風が吹くと商品名を書いた文字板が一方向に回転するように構成されている。その回転動作により、通行人の注意を喚起することが可能である。
【０００３】
【発明が解決しようとする課題】
しかしながら、この従来の風力回転看板は、単に風が吹くと文字板が回転するだけであり、一度は通行人の注意を引くが、動作が単純であるので飽きられやすいという欠点がある。そこで、もっと通行人の注意を引くことができるユニークな動作をする看板の提供が求められていた。
【０００４】
【課題を解決するための手段】
上記課題を解決するために、請求項１の発明は、水平方向に突出して支持されたブラケットと、このブラケットの下方に吊り下げられた薄板状の第１の揺動体と、この第１の揺動体を前記ブラケットに左右２箇所で揺動自在に吊り下げる１対の吊り下げ手段と、前記第１の揺動体の稍下部中央に回動自在に軸支された薄板状の第２の揺動体と、この第２の揺動体の上部先端の第１の揺動体側に突設された係合ピンと、この係合ピンの揺動軌跡に沿って第１の揺動体に形成されて係合ピンが係合される案内溝と、前記第２の揺動体の下部に設けられた錘とを備えたことを特徴とする。
【０００５】
ここで、前記吊り下げ手段のブラケット側間隔よりも第１の揺動体側の間隔を広くして吊り下げ手段をハの字状に配設することが好ましい。
【０００６】
さらに、前記第１の揺動体および第２の揺動体の双方または一方の側部を約９０度折曲して風受け部を形成することも可能である。
【０００７】
また、前記第１の揺動体を略半円形状とし第２の揺動体を略直線形状としてそれぞれを店を象徴する物品の形状とすることが可能である。
【０００８】
【発明の実施の形態】
以下、図に沿って本発明の実施形態を説明する。図１は本発明を理髪店の看板に適用した場合の正面図および側面図である。図において、１はブラケットであり、柱または壁に取り付けられる。ブラケット１の下部には、吊り下げ用の数個の孔１ａが適間隔で形成されている。この孔１ａに、吊り下げ手段であるところの２本の鎖２を介して、第１の揺動体であるところの半円形状揺動体３が吊り下げられている。このとき、２本の鎖２の間隔は、上端側を狭く、下端側を広くしてハの字状に配置する。なお、吊り下げ手段としては、鎖２以外に、ワイヤロープ、針金、紐、板等がある。
【０００９】
半円形状揺動体３は、ステンレス板を半円形状に切断してコームと鋏の形状に形成したものであり、鋏形状の一部分を裏面側に約９０度折曲して風受け部４が形成されている。また、半円形状揺動体３の鋏形状部分の中間に、第２の揺動体であるところの鋏形状揺動体５が回動自在に軸支されている。鋏形状揺動体５は、ステンレス板を鋏形状に切断して形成したものであり、鋏の刃の背の部分を表面側に約９０度折曲して風受け部６が形成されている。また、鋏形状揺動体５の支軸部分は、鋏形状揺動体５の軸孔と半円形状揺動体３の軸孔の間に平ワッシャ７を介在させ、両外側からボルト８と袋ナット９を締結することで支軸としている。
【００１０】
鋏形状揺動体５の上端部が当接する半円形状揺動体３の外周部には、弧状の案内溝１１が形成され、鋏形状揺動体５の上端部が摺動自在に案内されている。この部分の構造は、鋏形状揺動体５の軸孔と半円形状揺動体３の案内溝１１の間に平ワッシャ１２を介在させ、両外側からボルト１３と袋ナット１４を締結して両側から挟み込むようにしている。また、鋏形状揺動体５の下端裏面に錘１５が取り付けられている。なお、図示例では、揺動体３，５の双方にそれぞれ風受け部４，６を設けたが、風受け部４，６の一方または両方を削除することも可能である。また、錘１５にあっても、揺動体５の下方を肉厚として実質的に錘として機能する態様であっても良い。
【００１１】
図２は図１に示した看板の動作を示す説明図である。風のない静止状態では、看板は、図（ａ）のような姿勢に保たれている。ここで、右方向から風が吹き始めると、風受け部４，６に風を受けて、図（ｂ）のように、半円形状揺動体３が左に移動する。左に最大振幅まで振れた後は、再度図（ｃ）の位置に勢い良く戻り、さらに今度は図（ｄ）のように右方向に移動して振り子運動を開始する。このようにして、半円形状揺動体３が左右に振れ始めると、鋏形状揺動体５も、左右方向に外力を受けて独自の周期で揺動運動を開始する。
換言すると、吊り下げ手段のハの字状の吊り紐のハの字を伸ばした結合点を想定した場合、その結合点が遠心運動の始点となり、これが揺動に従って左右に移動することで通常の振り子運動とは異なる特異な動きを導くことになる。
その結果、半円形状揺動体３と鋏形状揺動体５の振り子運動が組み合わされて、あたかも鋏が開閉動作をしているように見えはじめ、通行人の注目を多いに集めることが可能となる。なお、半円形状揺動体３に対する鋏形状揺動体５の揺動は、案内溝１１により制限されるため、一定の範囲となる。
【００１２】
図３は、本発明をスポーツ洋品店に用いた場合を示す図であり、基本構成は、図１の場合と同一であり、半円形状揺動体の形状をサッカーボールとし、鋏形状揺動体をサッカー選手の脚として組み合わせたものである。
【００１３】
図４は、本発明を楽器・ピアノ教室に用いた場合を示す図であり、基本構成は、図１の場合と同一であり、半円形状揺動体の形状をピアノの鍵盤とし、鋏形状揺動体を音譜として組み合わせたものである。
【００１４】
なお、上述した店以外にも、様々な種類の店に適用可能である。例えば、動物病院の場合は、２種類の動物を組み合わせる。ジーンズショップの場合は、ズボンの右脚と左脚を組み合わせる。割烹・鮮魚店の場合は、魚と網を組み合わせる。うどん・そば店の場合は、どんぶりと箸や麺を組み合わせる。喫茶店・レストランの場合は、カップとスプーンを組み合わせる。ゴルフショップの場合は、グリーンとパターやボールを組み合わせる。整体院の場合は、指と体を組み合わせる。
【００１５】
【発明の効果】
以上述べたように本発明によれば、ブラケット下部に、第１の揺動体を吊り下げ、さらに第１の揺動体に第２の揺動体を軸支したことにより、風が吹き第１の揺動体および第２の揺動体に外力が加わると、それらは互いに複雑な揺動をし、通行人の注目を集めることが可能となる。
【図面の簡単な説明】
【図１】本発明を理髪店の看板に適用した場合の正面図および側面図である。
【図２】図１に示した看板の動作を示す説明図である。
【図３】本発明をスポーツ洋品店に用いた場合を示す図である。
【図４】本発明を楽器・ピアノ教室に用いた場合を示す図である。
【符号の説明】
１　ブラケット
１ａ　孔
２　鎖
３　半円形状揺動体
４　風受け部
５　鋏形状揺動体
６　風受け部
７　平ワッシャ
８　ボルト
９　袋ナット
１１　案内溝
１２　平ワッシャ
１３　ボルト
１４　袋ナット
１５　錘
【図１】
2004020811.tif 000003
【図２】
2004020811.tif 000004
【図３】
2004020811.tif 000005
【図４】
2004020811.tif 000006